(57)【要約】【課題】展示機能に多様性を持たせると共に、商品の魅力を引き出した載置ができるように考慮されたシステム展示台を提供する。【解決手段】ベース台１と、底板２１を水平面上に載置した際に、底板２１の上面が上となるように載置した時と、下面が上となるように載置した時とで、水平面に対する角度が異なるように設けられた角度調節部材２とを有している。従って、棚板の傾斜に応じて必要な部材を選択することで商品を略水平に展示することができる。例えば、棚板に、棚本体側から端部に行くに従ってせり上がるような傾きが付けられていた場合には、この傾きに適合するような、水平面との角度が出せるように角度調節部材２の載置面を選択しベース台１上に配置することで、商品を略水平に展示することができる。また、角度調節部材２は、ベース台１に対して着脱自在に形成されているため、店舗の棚板が水平であった場合には、角度調節部材２をベース台から取り外し、そのままベース台１上に商品を載置することで水平を保つことができる。【選択図】　　　　図１
2004097573.tif 000002
【特許請求の範囲】
【請求項１】
商品を載置する水平面を有するベース台と、
商品を載置する台座部材と、該台座部材を前記水平面上に載置した際に、該台座部材の上面が上となるように載置した時と、下面が上となるように載置した時とで、前記水平面に対する前記台座部材の角度が異なるように前記上面側と前記下面側とに設けられた調節部材と、を有する角度調節部材と、
を有することを特徴とするシステム展示台。
【請求項２】
前記水平面の鉛直方向に設けられた係止板、または前記台座部材の鉛直方向に設けられた係止板と嵌合する係止溝を下端に有する後板と、該後板の上端に、該後板に対して所定の角度を持って接合され、商品を載置する前板と、を有する分離展示部材を有し、
前記ベース台に直接取り付けられた場合と、前記ベース台上に載置された角度調節部材に取り付けられた場合とで載置する商品を異なる展示角度で展示することを特徴とする請求項１記載のシステム展示台。
【請求項３】
載置された商品の間隔を取るために、前記ベース台とベース台との間に挿入されるスペーサを有することを特徴とする請求項１または２記載のシステム展示台。
【発明の詳細な説明】
【０００１】
【発明の属する技術分野】
本発明は、商品を店頭に陳列するシステム展示台に関する。
【０００２】
【従来の技術】
従来、店舗に設置された商品の陳列棚は、常に水平となるように形成されているのではなく、傾斜が付けられているものも見うけられる。このような陳列棚に商品を陳列していかにお客の注目を集めるかが問題となっている。
【０００３】
商品の展示方法について開示された技術文献として、以下に示す特許文献１〜３に示すものが知られている。
【０００４】
【特許文献１】
特開２０００−３４２４０８号公報
【特許文献２】
特開２００１−８７１００号公報
【特許文献３】
特開２００１−２０４６０３号公報
【０００５】
以下に、これらの文献に開示された技術について説明する。
特許文献１（特開２０００−３４２４０８号公報）には、商品や商品見本が目立つようにして店頭に並べることのできる陳列用ホルダが開示されている。この陳列用ホルダは、図２４に示されるようにそれぞれが樹脂の射出形成品であって、背板１００と底板１０１と左右の側板１０２、１０３とで商品の収納部を形成する箱状のカセット１０４と、カセット１０４の背板１００に設けられた挿入部１０５に根元部１０６を挿入して取り付けられる着脱可能なスタンド１０７とを組み合わせ、カセット１０４における背板１００の裏側の空間にスタンド１０７を収納可能とする。また、カセット１０４の背板１００が底板１０１に向かってせり上がるようにテーパーを付け、お客の目に対して商品や商品見本を手前にもってこれるようにする。また、カセット１０４における側板１０２、１０３に互いに挟まり合う係合手段を設けておき、連結状態で使用できるようにする。また、収納部の前方の一部を覆うカバーを取り付けるようにしている。
【０００６】
また、特許文献２（特開２００１−８７１００号公報）には、店頭で携帯電話機の商品を陳列するためのスタンドが開示されている。
このスタンドは、図２５に示されるように棚板等の載置面に載置した状態で鉛直面に対して後傾姿勢に傾斜する背もたれ板１１０を備えると共に背もたれ板の下端から前方に向けて上り勾配を有して折曲された底受板１１１を備えた前板と、前板における背もたれ板の頂部から載置面に至りほぼ垂下され背もたれ板を載置面に対して後傾姿勢に支持する後板１１２とからなり、前板の背もたれ板１１０が頂部から前方に延びる庇部１１３を形成すると共に、庇部１１３に透明又は半透明の合成樹脂により形成された上部開口状の断面溝型のレール板１１４を前板のほぼ全幅にわたり設け、レール板１１４の溝部によりカード用ポケット部を構成している。
【０００７】
また、特許文献３（特開２００１−２０４６０３号公報）には、多面的な商品の陳列が可能な商品陳列台が開示されている。
この商品陳列台は、図２６に示されるように基板１２０と、基板１２０の一方の面から立設する少なくともひとつの平面部１２１ａを有する基台１２１とからなる商品陳列台であり、設置台１２４の傾斜面１２３に設置した際、基台１２１の平面部１２１ａが略水平面を形成し、基板１２０が商品の背あてとなる第１の使用形態、又は基板１２０の基台１２１が立設する反対側の面１２２が商品の背あて面となる第２の使用形態の双方の使用形態を取り得ることを特徴としている。
【０００８】
【発明が解決しようとする課題】
しかしながら、上述した特許文献１の「陳列用ホルダ」及び特許文献２の「携帯電話機の店頭陳列用スタンド」は、傾斜した棚などに展示台を置くことは想定していない。従って、角度を調整するような部材については開示されていない。また、商品を分離して展示するなど展示機能に多様性がなく、商品機能のアピールが弱い。
【０００９】
また、特許文献３の「商品陳列台」は、傾斜する載置台や棚を前提とした陳列台であり、平坦な棚や載置台には使用することができない。
【００１０】
また、商品をお客にアピールするために、どのように商品を載置するべきかについて考慮されていない。すなわち、商品の強調したいポイントを考慮した載置について記載がない。
【００１１】
本発明は上記事情に鑑みてなされたものであり、展示機能に多様性を持たせると共に、商品の魅力を引き出した載置ができるように考慮されたシステム展示台を提供することを目的とする。
【００１２】
【課題を解決するための手段】
係る目的を達成するために本発明のシステム展示台は、商品を載置する水平面を有するベース台と、商品を載置する台座部材と、該台座部材を水平面上に載置した際に、該台座部材の上面が上となるように載置した時と、下面が上となるように載置した時とで、水平面に対する台座部材の角度が異なるように上面側と下面側とに設けられた調節部材と、を有する角度調節部材と、を有することを特徴とする。
【００１３】
請求項２記載の発明は、請求項１記載の発明において、水平面の鉛直方向に設けられた係止板、または台座部材の鉛直方向に設けられた係止板と嵌合する係止溝を下端に有する後板と、該後板の上端に、該後板に対して所定の角度を持って接合され、商品を載置する前板と、を有する分離展示部材を有し、ベース台に直接取り付けられた場合と、ベース台上に載置された角度調節部材に取り付けられた場合とで載置する商品を異なる展示角度で展示することを特徴とする。
【００１４】
請求項３記載の発明は、請求項１または２記載の発明において、載置された商品の間隔を取るために、ベース台とベース台との間に挿入されるスペーサを有することを特徴とする。
【００１５】
【発明の実施の形態】
次に、添付図面を参照しながら本発明のシステム展示台に係る実施の形態を詳細に説明する。図１〜図２３を参照すると本発明のシステム展示台に係る実施の形態が示されている。
【００１６】
本実施形態のシステム展示台は、図１に示されたベース台１と、図２に示された角度調節部材２と、図３に示されたスペーサ３と、図４または図５に示された分離展示部材４、５と、図６に示されたバックボード６とを具備する。以下、これらの部材について詳述する。
【００１７】
ベース台１は、図１に示されるように底板１０と、背板１１と、左右の側板１２、１３とからなり、底板１０の周囲を背板１１と側板１２、１３で「コの字」型に取り囲んでいる。側板１２、１３は扇型に形成されており、背板１１との接触面には、図７に示されるようにバックボード６を挟み込む溝１６が設けられている。また、底板１０上には、図７に示されるように一対の嵌合板１４と係止溝１５とが設けられている。嵌合板１４は、分離展示部材４、５をベース台１上に固定するために設けられた板であり、底板１０の背板１１側の端部に背板１１と平行するように設置されている。また、係止溝１５は、角度調節部材２を底板１０上に載置した際に、角度調節部材２を底板１０に対して固定するための溝であり、底板１０の、左右の側板１２、１３との接触面に近い位置に設けられている。また、側板１２、１３の外側の面には、図８に示されるように複数のベース台を連接するための凸部１７と凹部１８とが設けられている。この凹部１７と凸部１８とは同じ側板に設けられることはなく、それぞれが異なる側板に配置されている。
【００１８】
角度調節部材２は、図２に示されるように商品を載せる底板２１と、底板２１の左右両側に貼り合わされた側板２２、２３と、底板２１の上下両側に、底板２１に対して垂直に貼り合わされた支え板２４、２５とからなる。角度調節部材２は、店舗に設置された棚板の取り付け角度に応じて展示する商品を水平に保つために使用される。
【００１９】
店舗等に置かれている棚は、図９に示されるように傾斜が付けられていることがある。このような傾斜の棚台に商品をそのまま置いたのでは、商品を水平に保つことができない。そこで、棚台に傾斜が設けられている場合には、ベース台１上に図９に示されるように角度調整部材２を配置し、システム展示台上の商品を水平に保つ。
【００２０】
図１０には、底板２１と側板２２、２３との貼り合わせの関係が示され、図１０のＢには底板を図１０のＡに示された状態から裏返し（上下逆）にした状態が示されている。
側板２２、２３は、図１０に示されるように２つの略等しい三角形を貼り合わせた形状を取っている。底板２１は、２つの三角形を貼り合わせたセンターラインより少しずれた位置に取り付けられている。このように底板２１と側板とを貼り合わせることで、台上に載置した際に図１０（Ａ）（Ｂ）に示されるような２つの角度ができる（（Ａ）の場合約３０度、（Ｂ）の場合約１５度の角度）。棚板の取り付け角度に応じて、載置した際に下側となる角度を選択することで、商品をより水平に保つことができる。
【００２１】
また、側板２２、２３には、ベース台１上に載置した際に、ベース台１に設けた係止溝１５と係合する係止突起２６、２７が設けられている。係止突起は、図１０に示されるように側板の、底板２１に対する上下両側に設けられている。棚台の角度に応じて使用する角度調節部材２の角度を選択した際に、下側となる係止突起を図１１に示された係止溝１５に挿入することで角度調節部材２をベース台１に対して固定する。
【００２２】
スペーサ３は、ベース台１を複数個連接する際に、図１２に示されるようにベース台１の間に挟み込み、商品スペースを確保するための部材である。スペーサ３の左右の側面には、図１３に示されるように凹部３１と凸部３２とが設けられ、ベース台１を連接する際にベース台１の側板１２、１３に設けられた凸部１７、凹部１８と係合するように配置されている。
【００２３】
また、図４、または図５に示された分離展示部材４、５は、前板４１、５１と、後板４２、５２とが図１４に示されるように所定の角度を持って接合されている。この所定の角度は、分離展示部材４、５に商品を載せた際にお客に見せたい商品の角度が出るように作られている。分離展示部材４、５は、関連性のある２つの商品をシステム展示台に展示したい場合に、１つの商品（図１５Ａ参照）をベース台１上、または角度調節部材２を取り付けたベース台１上に配置し、もう一方の商品（図１５Ｂ参照）をこの分離展示部材４、５上に配置して展示する。
【００２４】
また、分離展示部材４、５の前板４１、５１の形状は、実際に展示する商品の形に応じて形成している。例えば、図４に示された分離展示部材４では、図１５に示されるように円形状の商品を載置することができる。また、図５に示された分離展示部材５では、図１６に示されるように直方体の商品を載置することができる。また、分離展示部材の前板４１、５１には、載置した商品が分離展示部材から滑り落ちないように固定具４４、５４を設けている。
【００２５】
また、分離展示部材４、５を構成する後板４２、５２の下端には、分離展示部材４、５をベース台１に固定するための挿入口４３、５３が設けられている。この挿入口４３、５３に、図１７に示されたベース台１上の嵌合板１４、または図１８に示された角度調節部材の支え板（２４、２５）をはめ込み、分離展示部材４、５をベース台１に固定する。
【００２６】
図６に示されたバックボード６は、商品を宣伝する宣伝文句等が表示されており、溝１６と嵌合してベース台１に取り付けられる。バックボード６の大きさは適宜変更可能であるが、本実施形態では、図１９に示されるようにベース台２基とスペーサ３とを連接した際に適合する大きさに作られている。
【００２７】
上記構成からなる本実施形態は、複数の角度に対応可能な角度調節部材２を用いて、載置された商品を水平に保つことを第１の目的としている。
このため本実施形態の角度調節部材２は、図２に示されるように、商品を載置する底板２１をベース台１上に載置した際に、底板２１の上面が上となるように載置した時と、下面が上となるように載置した時とで、水平面に対する底板２１の角度が異なるように側板２２、２３を取り付けている。
商品を載置する棚板の角度に応じて図９に示されるように必要に応じて角度調節部材２をベース台１上に配置し、棚板の傾斜を吸収することで、角度調節部材２上に載置する商品を略水平に保つことができる。また、角度調節部材２は、ベース台１に対して着脱自在に形成されているため、店舗の棚板が水平であった場合には、角度調節部材２をベース台１から取り外し、図９に示されるようにそのままベース台１上に商品を載置することができる。
【００２８】
また、本実施形態はベース台１を水平な棚において使用した場合であっても、角度調節部材２を用いて商品の展示角度を変え、商品の有効な展示を行なうことを目的としている。
ベース台１に設けられた嵌合板１４は、図７に示されるように底板１０に対して略垂直に立設している。この状態の嵌合板１４に分離展示部材４、５の挿入口を嵌合させた場合、分離展示部材４、５の後板４２、５２も図２０に示されるようにベース台１に略垂直に立設することになる。
【００２９】
これに対して、図２１に示されるようにベース台１上に角度調節部材２を載せた場合、底板２１に対して略垂直方向に設けられている支え板２４、２５の立設方向が、図２１に示されるように、垂直方向に対して所定の角度傾く。従って、この支え板２４、２５に分離展示部材４、５の挿入口を嵌合させた分離展示部材４、５も垂直方向に対して同一の角度傾く。
【００３０】
このようにして商品を載置する分離展示部材４、５の垂直方向からの傾きが変化するため、図２３に示されるように商品の角度も変わることになる。図２３に示されるように商品が展示される角度が変わるため、展示した際のお客の着目点を変更することができる。従って、商品に合った展示を行なうことができる。
【００３１】
なお、上述した実施形態は本発明の好適な実施の形態である。但し、これに限定されるものではなく、本発明の要旨を逸脱しない範囲内において種々変形実施が可能である。
【００３２】
【発明の効果】
以上の説明より明らかなように本発明は、ベース台と、台座部材を水平面上に載置した際に、台座部材の上面が上となるように載置した時と、下面が上となるように載置した時とで、水平面に対する角度が異なるように設けられた角度調節部材とを有している。従って、棚板の傾斜に応じて必要な部材を選択することで商品を略水平に展示することができる。例えば、棚板に、棚本体側から端部に行くに従ってせり上がるような傾きが付けられていた場合には、この傾きに適合するような、水平面との角度が出せるように角度調節部材の載置面を選択しベース台上に配置することで、商品を略水平に展示することができる。また、角度調節部材は、ベース台に対して着脱自在に形成されているため、店舗の棚板が水平であった場合には、角度調節部材をベース台から取り外し、そのままベース台上に商品を載置することで水平を保つことができる。
【００３３】
また、分離展示部材をベース台に直接取り付けた場合と、ベース台上に載置された角度調節部材に取り付けた場合とで展示する商品を異なる角度で載置することができ、商品の特徴を生かした展示を行なうことができる。また、分離展示部材を設けたことにより関連性のある商品を、ベース台上と、分離展示部材上とで分離して展示させることができる。
【００３４】
また、載置された商品の間隔を取るために、ベース台とベース台との間にスペーサを挿入することで、展示する商品と商品との間隔を最適に保つことができる。
【図面の簡単な説明】
【図１】ベース台１の構成を示す図である。
【図２】角度調節部材２の構成を示す図である。
【図３】スペーサ３の構成を示す図である。
【図４】分離展示部材４の構成を示す図である。
【図５】分離展示部材５の構成を示す図である。
【図６】バックボード６の構成を示す図である。
【図７】ベース台１の外観形状を示す上面斜視図である。
【図８】ベース台１の外観形状を示す平面図である。
【図９】角度調節部材２による棚台との角度の調節方法を説明するための図である。
【図１０】角度調節部材２の側板２２、２３の底板２１への取り付けを説明するための図である。
【図１１】角度調節部材２のベース台１への取り付け方法を説明するための図である。
【図１２】ベース台１とスペーサ３との連接方法を説明するための図である。
【図１３】スペーサの外観形状を示す平面図である。
【図１４】分離展示部材の外観形状を示す図である。
【図１５】商品のシステム展示台への展示方法を説明するための図である。
【図１６】商品のシステム展示台への展示方法を説明するための図である。
【図１７】分離展示部材のベース台１への接続方法を説明するための図である。
【図１８】分離展示部材のベース台１への接続方法を説明するための図である。
【図１９】バックボード６のベース台１への取り付け方法を説明するための図である。
【図２０】分離展示部材上に置いた商品の展示角度を説明するための図である。
【図２１】分離展示部材上に置いた商品の展示角度を説明するための図である。
【図２２】分離展示部材上に置いた商品の展示角度を説明するための図である。
【図２３】分離展示部材上に置いた商品の展示角度を説明するための図である。
【図２４】従来の技術を説明するための図である。
【図２５】従来の技術を説明するための図である。
【図２６】従来の技術を説明するための図である。
【符号の説明】
１　システム展示台
２　角度調節部材
３　スペーサ
４、５　分離展示部材
６　バックボード
【図１】
2004097573.tif 000003
【図２】
2004097573.tif 000004
【図３】
2004097573.tif 000005
【図４】
2004097573.tif 000006
【図５】
2004097573.tif 000007
【図６】
2004097573.tif 000008
【図７】
2004097573.tif 000009
【図８】
2004097573.tif 000010
【図９】
2004097573.tif 000011
【図１０】
2004097573.tif 000012
【図１１】
2004097573.tif 000013
【図１２】
2004097573.tif 000014
【図１３】
2004097573.tif 000015
【図１４】
2004097573.tif 000016
【図１５】
2004097573.tif 000017
【図１６】
2004097573.tif 000018
【図１７】
2004097573.tif 000019
【図１８】
2004097573.tif 000020
【図１９】
2004097573.tif 000021
【図２０】
2004097573.tif 000022
【図２１】
2004097573.tif 000023
【図２２】
2004097573.tif 000024
【図２３】
2004097573.tif 000025
【図２４】
2004097573.tif 000026
【図２５】
2004097573.tif 000027
【図２６】
2004097573.tif 000028